(57)【要約】  【課題】  簡単且つ迅速に排水トラップを補修することにできる排水トラップの補修部材を提供する。  【解決手段】  上部に開口部１２を備えた椀状のトラップ本体１３の底部中央に、排水管と連結し、トラップ本体１３の内側に突出する円筒状の立上り部１４を備えた排水トラップ１１の補修部材２０であって、補修部材２０は、トラップ本体１３の内周面を被覆する軟質合成樹脂で形成したカバー本体２２と、立上り部１４のトラップ本体内部に突出する内周面と外周面とを被覆する硬質合成樹脂で形成した立上りカバー部２３とを一体的に形成し、コーキング剤２１で排水トラップ１１に接着される。【選択図】  図１
2006322176.tif 000002
【特許請求の範囲】
【請求項１】
上部に開口部を備えた椀状のトラップ本体の底部中央に、排水管と連結し、トラップ本体の内側に突出する円筒状の立上り部を備えた排水トラップの補修部材であって、該補修部材は、前記トラップ本体の内周面を被覆する軟質合成樹脂で形成したカバー本体と、前記立上り部のトラップ本体内部に突出する内周面と外周面とを被覆する硬質合成樹脂で形成した立上りカバー部とが一体的に形成され、コーキング剤で前記排水トラップに接着されることを特徴とする排水トラップの補修部材。
【請求項２】
前記カバー本体の上部には、トラップ本体の深さが前記補修部材の深さよりも浅いときに、トラップ本体よりも突出する補修部材の余剰部分を切断するための目安線が複数本形成されていることを特徴とする請求項1記載の排水トラップの補修部材。
【発明の詳細な説明】
【技術分野】
【０００１】
本発明は、集合住宅，マンション，個人住宅の風呂場、台所、洗面所等の床面の排水口に取り付けられる排水トラップの補修部材に係り、詳しくは、金属製の排水トラップが発錆等によって劣化した際に用いられる補修部材に関する。
【背景技術】
【０００２】
金属製の排水トラップは、長期間使用すると、保護塗装面が劣化したり剥離することによって錆が発生して欠損することがあり、この欠損が進むと、封水や排水の機能が低下するおそれがあった。一方、排水トラップは、防水処理を施した床材に埋め込まれているため、排水トラップを新品のものと付け替えることは非常に困難であった。
【０００３】
このため、排水トラップ内部の発錆等による欠損凹部を、接着パテ等の接着剤を塗布して埋めて補修する方法や、立上り部に排水用の継手や管類を所定の長さに切断して接着剤で取り付けて補修する方法が提案されていた（例えば、特許文献１参照。）。
【特許文献１】特公平７−２１２０５号公報
【発明の開示】
【発明が解決しようとする課題】
【０００４】
しかし、上記のように、排水トラップ内部の欠損凹部を接着パテ等で埋めたり、立上り部に継手や管類を接着するといった細かい作業をする際に、作業スペースが限られているため、作業に手間が掛かるとともに、作業が行い難いことから施工品質にばらつきが出ることがあった。
【０００５】
そこで本発明は、簡単且つ迅速に排水トラップを補修することができる排水トラップの補修部材を提供することを目的としている。
【課題を解決するための手段】
【０００６】
上記の目的を達成するため本発明は、上部に開口部を備えた椀状のトラップ本体の底部中央に、排水管と連結し、トラップ本体の内側に突出する円筒状の立上り部を備えた排水トラップの補修部材であって、該補修部材は、前記トラップ本体の内周面を被覆する軟質合成樹脂で形成したカバー本体と、前記立上り部のトラップ本体内部に突出する内周面と外周面とを被覆する硬質合成樹脂で形成した立上りカバー部とが一体的に形成され、コーキング剤で前記排水トラップに接着されることを特徴とし、前記カバー本体の上部には、トラップ本体の深さが前記補修部材の深さよりも浅いときに、トラップ本体よりも突出する補修部材の余剰部分を切断するための目安線を複数本形成しておくと好適である。
【発明の効果】
【０００７】
上述の発明により、排水トラップにカバー本体と立上りカバー部とを一体に備えた補修部材をコーキング剤を介して接着するだけで、簡単に排水トラップを補修することができる。また、コーキング剤によって補修部材を排水トラップに接着するので、補修部材よりも排水トラップが大きく、隙間が生じることがあっても、コーキング剤の塗布量を調節することによって、隙間を簡単に埋めることができる。さらに、立上りカバー部を硬質の合成樹脂で形成したことから、排水トラップの立上り部が、補修部材の立上りカバー部よりも短い場合でも、挫屈、変形するおそれがない。
【０００８】
さらに、カバー本体は軟質の合成樹脂で形成されているので、トラップ本体の深さが前記補修部材の深さよりも浅いときに、トラップ本体よりも突出するカバー本体を、鋏等で簡単に切り取ることができる。
【０００９】
また、カバー本体の上部に切り取りの目安線を形成しておくことにより、適正な長さを手間を掛けずに切り取ることができる。
【発明を実施するための最良の形態】
【００１０】
以下、本発明の一形態例を図面に基づいて詳しく説明する。図１は、本発明の一形態例を示す補修部材を取り付けた状態の排水トラップの断面図、図２は補修部材の正面図、図３は補修部材の平面図、図４は補修部材の底面図である。
【００１１】
排水トラップ１１は、鋳物等の金属によって形成され、上部に開口部１２を備えた椀状のトラップ本体１３の底部中央に、トラップ本体１３の内側に突出する円筒状の立上り部１４を備え、該立上り部１４の下端部と排水管とが連結している。排水トラップ１１は立上り部１４に臭気止めの蓋が被せられ、蓋と立上り部１４の周囲の溝に溜まる水とで悪臭や害虫が室内に上がってくるのを防止するようにしている。この排水トラップ１１は、長期間使用すると、錆が発生して欠損することがあり、封水や排水の機能が低下するおそれがある場合には、補修部材２０をコーキング剤２１で接着することによって補修される。
【００１２】
補修部材２０は、トラップ本体１３の内周面を被覆可能な、略椀状のカバー本体２２と、トラップ本体１３の内部に突出する立上り部１４の内周面と外周面とを被覆する立上りカバー部２３とを備えている。
【００１３】
カバー本体２２は、軟質合成樹脂、例えば、エラストマー，塩化ビニル，ポリエチレン等で形成され、上部開口２２ａと、排水トラップ１１の立上り部１４を挿通させる底部開口２２ｂとを備えている。カバー本体２２の上部には、トラップ本体１３の深さがカバー本体２２の深さよりも浅いときに、トラップ本体１３よりも突出する余剰部分を切断するための、薄肉に形成した目安線２４が１０ｍｍ間隔で複数本形成されている。
【００１４】
立上りカバー部２３は、硬質樹脂、例えば、塩化ビニル，ポリプロピレン等で形成され、カバー本体２２の底部開口２２ｂに連続する外周側端部２３ａと、立上り部１４の内周側に配設される内周側開口２３ｂとを備えている。カバー本体２２と立上りカバー部２３とは、射出成形によって一体成形するのが好適であるが、一体成形が難しい樹脂の組み合わせの場合は、別体に形成して接着剤や溶着によって一体化してもよく、排水トラップ１１に取り付けた際に、隙間なく一体的に装着できるものであればよい。
【００１５】
また、補修部材２０を排水トラップ１１に接着させるコーキング剤２１としては、シリコン系のものやエポキシ系のもの等、周知のコーキング剤を使用することができ、使用場所や接着面同士の材質に応じて適宜選択して使用すればよい。
【００１６】
このように形成された補修部材２０は、排水トラップの規格に合わせて数種類の大きさのものが製造され、トラップ本体１３の口径と一致する補修部材２０を選択して使用する。排水トラップ１１への補修部材２０の装着は、まず、トラップ本体１３の内面にコーキング剤２１を塗布し、その上から、補修部材２０を押し込み、コーキング剤２１のはみ出した部分を拭き取って完了する。このように、コーキング剤２１で補修部材２０を接着するだけで、狭い作業スペースでも、簡単に排水トラップ１１を補修することができ、また、作業に手間が掛からないことから、施工品質にばらつきが出ることがない。さらに、補修部材装着の際にトラップ本体１３とカバー本体２２との間や、立上り部１４と立上りカバー部２３との間に、若干の隙間が生じることがあるが、接着時にコーキング剤２１の塗布量を調節することによって、隙間を簡単に埋めることができる。
【００１７】
また、立上りカバー部２３を硬質の合成樹脂で形成したことから、排水トラップ１１の立上り部１４が、補修部材２０の立上りカバー部２３よりも短く、立上り部１４の上部と立上りカバー部２３との間に隙間が生じても、臭気止めの蓋を被た際に、立上りカバー部２３が挫屈したり、変形するおそれがない。さらに、カバー本体２２は軟質の合成樹脂で形成されているので、トラップ本体１３の深さが補修部材２０の深さよりも浅いときに、トラップ本体１３よりも突出するカバー本体２２の余剰部分を、目安線２４に沿って鋏で簡単に切り取ることができる。
【００１８】
尚、本発明の補修部材は、上述のように立上り部に臭気止めの蓋を被せるタイプの排水トラップに適用されるものに限らず、トラップ本体の底部に立上り部を備えたどのようなタイプの排水トラップにも適用できる。
【図面の簡単な説明】
【００１９】
【図１】本発明の一形態例を示す補修部材を取り付けた状態の排水トラップの断面図である。
【図２】同じく補修部材の正面図である。
【図３】同じく補修部材の平面図である。
【図４】同じく補修部材の底面図である。
【符号の説明】
【００２０】
１１…排水トラップ、１２…開口、１３…トラップ本体、１４…立上り部、２０…補修部材、２１…コーキング剤、２２…カバー本体、２３…立上りカバー部、２４…目安線
【図１】
2006322176.tif 000003
【図２】
2006322176.tif 000004
【図３】
2006322176.tif 000005
【図４】
2006322176.tif 000006